(57)【要約】【課題】サーバ装置による画質調整を前提として設計されていない一般の表示装置であっても表示特性を管理することを可能にする表示装置管理システムを提供する。【解決手段】表示装置管理システム１０は、表示装置２０ａ及び２０ｂに表示された第１画像及び第２画像を撮影することによって撮影画像１３ａ及び１３ｂを生成する少なくとも一つの撮影装置３０と、撮影装置３０で生成された撮影画像１３ａ及び１３ｂを取得し、表示装置２０ａ及び２０ｂの表示特性を特定し、特定した表示装置２０ａの表示特性と表示装置２０ｂの表示特性との間に差があるか否かを判断し、差があると判断した場合に、当該差を示す差情報１５を撮影装置３０に送信するサーバ装置５０とを備え、撮影装置３０は、サーバ装置５０から差情報１５を受信した場合に、受信した差情報１５を提示する。【選択図】図１
2019179439.tif 000002
【特許請求の範囲】
【請求項１】
少なくとも２台の表示装置の表示特性を管理する表示装置管理システムであって、
第１表示装置に表示された第１画像を撮影することによって第１撮影画像を生成し、第２表示装置に表示された第２画像を撮影することによって第２撮影画像を生成する少なくとも一つの撮影装置と、
前記撮影装置と通信路で接続され、前記撮影装置で生成された前記第１撮影画像及び前記第２撮影画像を、前記通信路を介して取得し、取得した前記第１撮影画像及び前記第２撮影画像に基づいて、前記第１表示装置及び前記第２表示装置の表示特性を特定し、特定した前記第１表示装置の表示特性と前記第２表示装置の表示特性との間に差があるか否かを判断し、差があると判断した場合に、当該差を示す情報を前記撮影装置に送信するサーバ装置とを備え、
前記撮影装置は、前記サーバ装置から前記差を示す情報を受信した場合に、受信した情報を提示する
表示装置管理システム。
【請求項２】
前記サーバ装置は、前記第１表示装置の表示特性と前記第２表示装置の表示特性との間に差があると判断した場合に、さらに、前記第１表示装置の表示特性と前記第２表示装置の表示特性との差を小さくするための、前記第１表示装置及び前記第２表示装置の少なくとも一方の表示特性を補正する補正データを生成し、生成した前記補正データを前記第１表示装置及び前記第２表示装置の少なくとも一方に向けて送信する
請求項１記載の表示装置管理システム。
【請求項３】
前記撮影装置は、撮像部を有する携帯情報端末である
請求項１又は２記載の表示装置管理システム。
【請求項４】
前記撮影装置は、補正用画像を前記第１表示装置及び前記第２表示装置に送信し、
前記第１表示装置は、前記撮影装置から送信されてきた前記補正用画像を取得し、前記第１画像として表示し、
前記第２表示装置は、前記撮影装置から送信されてきた前記補正用画像を取得し、前記第２画像として表示する
請求項１〜３のいずれか１項に記載の表示装置管理システム。
【請求項５】
前記撮影装置は、前記第１撮影画像及び前記第２撮影画像をパブリックデータとして前記サーバ装置に送信し、前記パブリックデータとは異なる別の情報をプライベートデータとして前記サーバ装置に送信し、
前記サーバ装置は、前記撮影装置から受信した前記プライベートデータを、前記第１表示装置又は前記第２表示装置の所有者、前記第１表示装置又は前記第２表示装置の管理者及び一般ユーザのうちの、前記一般ユーザを除く前記所有者又は前記管理者に提供し、前記撮影装置から受信した前記パブリックデータを、前記所有者、前記管理者及び前記一般ユーザに提供する
請求項４記載の表示装置管理システム。
【請求項６】
前記プライベートデータは、前記第１表示装置又は前記第２表示装置の所有者、前記第１表示装置又は前記第２表示装置の管理者、前記第１表示装置又は前記第２表示装置の個体名、及び、前記第１表示装置又は前記第２表示装置の設置場所に関する情報の少なくとも１つを含み、
前記パブリックデータは、前記第１表示装置又は前記第２表示装置の個体ＩＤ、前記第１表示装置又は前記第２表示装置の製造会社、前記第１撮影画像又は前記第２撮影画像に基づく測定データに関する情報の少なくとも１つを含む、請求項５記載の表示装置管理システム。
【請求項７】
前記撮影装置は、（１）前記プライベートデータを暗号文で、かつ、前記パブリックデータを平文で前記サーバ装置に送信する第１送信方法、及び、（２）前記プライベートデータを、使用できる者が制限される専用回線で、かつ、前記パブリックデータを、使用できる者が制限されない公衆回線で前記サーバ装置に送信する第２送信方法の少なくとも一つを用い、
前記サーバ装置は、（１）前記プライベートデータを暗号文で、かつ、前記パブリックデータを平文で保存する第１保存方法、及び、（２）前記プライベートデータを、使用できる者が制限される記憶領域に、かつ、前記パブリックデータを、使用できる者が制限されない記憶領域に保存する第２保存方法の少なくとも一つを用い、
前記サーバ装置は、（１）前記プライベートデータを、前記サーバ装置へのアクセスが制限される者に、かつ、前記パブリックデータを前記サーバ装置へのアクセスが制限されない者に提供する第１提供方法、及び、（２）前記プライベートデータを、前記サーバ装置へのアクセスが許可された端末装置に、かつ、前記パブリックデータを前記サーバ装置にアクセスしてきた端末装置に提供する第２提供方法の少なくとも一つを用いる
請求項５又は６記載の表示装置管理システム。
【請求項８】
前記パブリックデータには、さらに、当該パブリックデータに含まれる撮影画像に対応する表示装置の識別情報、前記表示装置の製造会社、前記表示装置の測定結果、及び、前記表示装置の通電時間の少なくとも一つが含まれる
請求項５〜７のいずれか１項に記載の表示装置管理システム。
【請求項９】
前記サーバ装置は、前記撮影装置から受信した前記パブリックデータに含まれる前記第１撮影画像及び前記第２撮影画像を解析して蓄積することで、前記第１表示装置及び前記第２表示装置の表示特性の経年変化を特定し、特定した前記経年変化に基づいて前記第１表示装置及び前記第２表示装置の寿命を予測し、予測した前記寿命に関する情報を、前記パブリックデータを提供した者に提供する
請求項５〜８のいずれか１項に記載の表示装置管理システム。
【請求項１０】
前記サーバ装置は、第３表示装置及び第４表示装置を相互リンクの対象とする登録をしている場合に、前記第３表示装置の表示特性を変更する指示を受けたときに、（１）前記第３表示装置の表示特性を変更するとともに、前記第４表示装置の表示特性も変更する、（２）前記第３表示装置の表示特性を変更しない、（３）警告を提示する、及び、（４）前記第３表示装置の表示特性を変更した後、一定の条件が満たされたときに前記第３表示装置の表示特性を変更前の状態に戻す、の少なくとも一つを行う
請求項１〜９のいずれか１項に記載の表示装置管理システム。
【請求項１１】
前記サーバ装置は、生成した前記補正データを前記撮影装置に送信し、
前記撮影装置は、前記サーバ装置から送信されてきた前記補正データを前記第１表示装置及び前記第２表示装置の少なくとも一方に転送する
請求項２記載の表示装置管理システム。
【請求項１２】
前記撮影装置は、前記補正データが重畳された映像信号を前記第１表示装置及び前記第２表示装置の少なくとも一方に入力させることで、前記補正データを前記第１表示装置及び前記第２表示装置の少なくとも一方に転送する
請求項１１記載の表示装置管理システム。
【請求項１３】
前記サーバ装置は、前記第１表示装置の表示特性と前記第２表示装置の表示特性とを合わせる指示を受け付けた場合に、（１）前記第１表示装置及び前記第２表示装置のうち、表示特性の性能が優れた一方の表示特性を校正する、（２）前記第１表示装置及び前記第２表示装置の表示特性を所定の基準に合わせる校正をする、（３）前記第１表示装置及び前記第２表示装置のうち、表示特性の性能が劣る一方に対して、前記表示特性の劣る箇所を示す画像を提示させる、及び、（４）前記第１表示装置及び前記第２表示装置の少なくとも一方の表示特性をユーザから指示された基準に合わせる校正をする、の少なくとも一つを行う
請求項１〜１２のいずれか１項に記載の表示装置管理システム。
【請求項１４】
前記サーバ装置は、前記第１表示装置及び前記第２表示装置の液晶モードが異なる場合に、（１）液晶モードが異なることを提示する、（２）見え方が異なる可能性がある部位を提示する、及び、（３）見え方の差を抑制できる視聴位置又は視聴角度を提示する、の少なくとも一つを行う
請求項１〜１３のいずれか１項に記載の表示装置管理システム。
【請求項１５】
前記サーバ装置は、前記第１表示装置及び前記第２表示装置が備える表示パネルの解像度、サイズ及びアスペクト比の少なくとも一つが異なる場合に、（１）解像度、サイズ及びアスペクト比の少なくとも一つが異なることを提示する、（２）見え方の差を抑制できる視聴位置を提示する、及び、（３）前記第１表示装置及び前記第２表示装置の少なくとも一つが見え方の差を抑制する画像処理を行うように制御する、の少なくとも一つを行う
請求項１〜１４のいずれか１項に記載の表示装置管理システム。
【請求項１６】
請求項１〜１５のいずれか１項に記載の表示装置管理システムを構成する撮影装置。
【請求項１７】
請求項１〜１５のいずれか１項に記載の表示装置管理システムを構成するサーバ装置。
【請求項１８】
請求項１２に記載の表示装置管理システムによって表示特性が管理される表示装置であって、
前記表示装置管理システムを構成する撮影装置から送信されてくる、補正データが重畳された映像信号を受信する映像信号生成部と、
受信された前記映像信号に重畳された前記補正データを保持する記憶部を有し、前記映像信号に対して、前記記憶部に保持している前記補正データに基づく補正をする映像信号処理部と、
補正後の前記映像信号を表示する表示パネルと
を備える表示装置。
【請求項１９】
少なくとも２台の表示装置の表示特性を管理する表示装置管理方法であって、
撮影装置が、第１表示装置に表示された第１画像を撮影することによって第１撮影画像を生成し、第２表示装置に表示された第２画像を撮影することによって第２撮影画像を生成し、
前記撮影装置と通信路で接続されたサーバ装置が、前記撮影装置で生成された前記第１撮影画像及び前記第２撮影画像を、前記通信路を介して取得し、取得した前記第１撮影画像及び前記第２撮影画像に基づいて、前記第１表示装置及び前記第２表示装置の表示特性を特定し、特定した前記第１表示装置の表示特性と前記第２表示装置の表示特性との間に差があるか否かを判断し、差があると判断した場合に、当該差を示す情報を前記撮影装置に送信し、
前記撮影装置は、前記サーバ装置から前記差を示す情報を受信した場合に、受信した情報を提示する
表示装置管理方法。
【発明の詳細な説明】
【技術分野】
【０００１】
本発明は、表示装置管理システム、撮影装置、サーバ装置、表示装置及び表示装置管理方法に関し、特に、少なくとも２台の表示装置の表示特性を管理する表示装置管理システムに関する。
【背景技術】
【０００２】
同一の画像データであっても、異なる表示装置に表示させた場合には、表示装置が有する表示特性の違いにより、異なる態様で表示される（つまり、見え方が異なる）ことがある。特に、表示装置の製造会社が異なったり、製造会社が同一であってもモデルが異なったり、同一モデルであっても経年変化の程度が異なったりするケース等において、このような現象が生じ得る。このような現象は、例えば、医用画像の表示結果から診断を行うような医療現場では深刻な問題となる。ここで、表示特性とは、個々の表示装置がもつ画質（輝度、色、各種ムラ）特性であり、例えば、ルックアップテーブル（以下、「ＬＵＴ」とも記す）によって定まる入出力特性（つまり、ガンマ特性）等によって調整され得る特性である。
【０００３】
そのために、従来、複数の表示装置における表示特性を揃えるための技術が提案されている（例えば、特許文献１、２参照）。
【０００４】
特許文献１には、第１のガンマ特性を有する第１のモニタ及びクライアント側における第２のガンマ特性を有する第２のモニタにそれぞれ医用画像データを出力し、第１のモニタに表示される医用画像の輝度と同等な輝度で第２のモニタに医用画像が表示されるように、第１のガンマ特性の情報及び第２のガンマ特性の情報に基づいて医用画像の画素値の変換処理を行う医用画像生成装置が開示されている。これにより、ガンマ特性の異なる複数のモニタに対して適切な見え方で医用画像を表示させている。
【０００５】
また、特許文献２には、クライアント端末の固有情報を取得するクライアント情報取得手段と、クライアント情報取得手段により取得された固有情報、および、クライアント端末からのアプリケーション起動要求に含まれるアプリケーション種別から、クライアント端末に応じた画質調整を行う画質調整手段とを備える画像処理装置が開示されている。これにより、各端末に応じて画質調整を行うことを可能にしている。
【先行技術文献】
【特許文献】
【０００６】
【特許文献１】特開２０１２−１００８９９号公報
【特許文献２】特開２０１０−１１３４５５号公報
【発明の概要】
【発明が解決しようとする課題】
【０００７】
しかしながら、特許文献１及び特許文献２の技術では、画質調整の対象となる各表示装置（つまり、特許文献１のモニタ、特許文献２のクライアント端末）が、画質調整を行うサーバ装置（つまり、特許文献１の医用画像生成装置、特許文献２の画像処理装置）と通信路で接続されている等、画質調整システムの対象としての条件を備えていることが必要とされる。そのために、サーバ装置による画質調整を前提として設計されていない一般の表示装置に対しては、画質調整の対象とすることができないという問題がある。
【０００８】
そこで、本発明は、上記問題に鑑みてなされたものであり、サーバ装置による画質調整を前提として設計されていない一般の表示装置であっても表示特性を管理することを可能にする表示装置管理システム等を提供することを目的とする。
【課題を解決するための手段】
【０００９】
上記目的を達成するために、本発明の一形態に係る表示装置管理システムは、少なくとも２台の表示装置の表示特性を管理する表示装置管理システムであって、第１表示装置に表示された第１画像を撮影することによって第１撮影画像を生成し、第２表示装置に表示された第２画像を撮影することによって第２撮影画像を生成する少なくとも一つの撮影装置と、前記撮影装置と通信路で接続され、前記撮影装置で生成された前記第１撮影画像及び前記第２撮影画像を、前記通信路を介して取得し、取得した前記第１撮影画像及び前記第２撮影画像に基づいて、前記第１表示装置及び前記第２表示装置の表示特性を特定し、特定した前記第１表示装置の表示特性と前記第２表示装置の表示特性との間に差があるか否かを判断し、差があると判断した場合に、当該差を示す情報を前記撮影装置に送信するサーバ装置とを備え、前記撮影装置は、前記サーバ装置から前記差を示す情報を受信した場合に、受信した情報を提示する。
【００１０】
上記目的を達成するために、本発明の一形態に係る撮影装置は、上記表示装置管理システムを構成する撮影装置である。
【００１１】
上記目的を達成するために、本発明の一形態に係るサーバ装置は、上記表示装置管理システムを構成するサーバ装置である。
【００１２】
上記目的を達成するために、本発明の一形態に係る表示装置は、上記表示装置管理システムによって表示特性が管理される表示装置であって、前記表示装置管理システムを構成する撮影装置から送信されてくる、補正データが重畳された映像信号を受信する映像信号生成部と、受信された前記映像信号に重畳された前記補正データを保持する記憶部を有し、前記映像信号に対して、前記記憶部に保持している前記補正データに基づく補正をする映像信号処理部と、補正後の前記映像信号を表示する表示パネルとを備える。
【００１３】
上記目的を達成するために、本発明の一形態に係る表示装置管理方法は、少なくとも２台の表示装置の表示特性を管理する表示装置管理方法であって、撮影装置が、第１表示装置に表示された第１画像を撮影することによって第１撮影画像を生成し、第２表示装置に表示された第２画像を撮影することによって第２撮影画像を生成し、前記撮影装置と通信路で接続されたサーバ装置が、前記撮影装置で生成された前記第１撮影画像及び前記第２撮影画像を、前記通信路を介して取得し、取得した前記第１撮影画像及び前記第２撮影画像に基づいて、前記第１表示装置及び前記第２表示装置の表示特性を特定し、特定した前記第１表示装置の表示特性と前記第２表示装置の表示特性との間に差があるか否かを判断し、差があると判断した場合に、当該差を示す情報を前記撮影装置に送信し、前記撮影装置は、前記サーバ装置から前記差を示す情報を受信した場合に、受信した情報を提示する。
【発明の効果】
【００１４】
本発明により、サーバ装置による画質調整を前提として設計されていない一般の表示装置であっても表示特性を管理することを可能にする表示装置管理システム等が提供される。
【図面の簡単な説明】
【００１５】
【図１】図１は、実施の形態に係る表示装置管理システムの構成図である。
【図２Ａ】図２Ａは、図１に示された２台の表示装置のうちの一方の構成を示すブロック図である。
【図２Ｂ】図２Ａは、図１に示された２台の表示装置のうちの他方の構成を示すブロック図である。
【図３】図３は、図１に示された撮影装置の構成を示すブロック図である。
【図４】図４は、図１に示されたサーバ装置の構成を示すブロック図である。
【図５】図５は、図１に示された表示装置管理システムの基本動作を示すシーケンス図である。
【図６】図６は、図１に示された撮影装置による差情報の表示例を示す図である。
【図７Ａ】図７Ａは、実施例１に係る表示装置管理システムにおける付加情報のデータ属性例を示す図である。
【図７Ｂ】図７Ｂは、実施例１に係る表示装置管理システムにおける付加情報のうちパブリックデータの用途例を示す図である。
【図７Ｃ】図７Ｃは、実施例１に係る表示装置管理システムにおける付加情報の取り扱い例を示す図である。
【図７Ｄ】図７Ｄは、実施例１に係る表示装置管理システムにおいてパブリックデータの提供を促すインセンティブ例を示す図である。
【図８】図８は、実施例２に係る表示装置管理システムのリンク機能の処理手順を示すフローチャートである。
【図９】図９は、実施例３に係る表示装置管理システムによる複数の表示装置に対する表示特性の合わせ方の具体手法を示すフローチャートである。
【図１０】図１０は、図９に示された具体手法を説明する図である。
【図１１Ａ】図１１Ａは、ＶＡ方式とＩＰＳ方式におけるコントラストの視角依存性の例を示す図である。
【図１１Ｂ】図１１Ｂは、ＶＡ方式における色域の視角依存性の例とＩＰＳ方式における色域の視角依存性の例とを示す図である。
【図１２】図１２は、実施例４に係る表示装置管理システムによる複数の表示装置の液晶モードの違いを緩和する処理を示すフローチャートである。
【図１３】図１３は、実施例４に係る表示装置管理システムによる複数の表示装置の表示パネルの構造の違いを緩和する処理を示すフローチャートである。
【図１４】図１４は、表示装置が備える表示パネルの解像度が同じでサイズが異なる場合に、視距離を変えることで表示装置に表示された対象物の見える大きさが同じになることを説明する図である。
【図１５Ａ】図１５Ａは、表示パネルのサイズが同一で解像度が異なる表示装置での見え方の違いを示す図である。
【図１５Ｂ】図１５Ｂは、表示パネルのサイズが異なり解像度が同一の表示装置での見え方の違いを示す図である。
【図１５Ｃ】図１５Ｃは、アスペクト比が４：３の画像をアスペクト比が１６：９の表示パネルに表示する際の画像処理を示す図である。
【図１６】図１６は、実施の形態の変形例に係る表示装置管理システムの構成図である。
【発明を実施するための形態】
【００１６】
以下、本発明の実施の形態について、図面を用いて詳細に説明する。なお、以下で説明する実施の形態は、いずれも本発明の一具体例を示すものである。以下の実施の形態で示される数値、形状、材料、画像、データ、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００１７】
図１は、実施の形態に係る表示装置管理システム１０の構成図である。表示装置管理システム１０は、少なくとも２台の表示装置の表示特性を管理するシステムであり、表示装置２０ａ及び２０ｂと、撮影装置３０と、サーバ装置５０とで構成される。なお、本実施の形態では、表示特性の管理の対象となる表示装置は、２台（つまり、表示装置２０ａ及び２０ｂ）であるとして以下の説明をするが、３台以上であってもよい。
【００１８】
表示装置２０ａ及び２０ｂは、それぞれ、表示特性の管理の対象となる第１表示装置及び第２表示装置の一例であり、具体的には、ＬＣＤ（Ｌｉｑｕｉｄ  Ｃｒｙｓｔａｌ  Ｄｉｓｐｌａｙ）、有機ＥＬ（ＥｌｅｃｔｒｏＬｉｍｉｎｅｓｃｅｎｃｅ）ディスプレイ等であり、モノクロ、グレースケール、カラー等の種類は問わない。
【００１９】
撮影装置３０は表示装置２０ａに表示された第１画像を撮影することによって第１撮影画像としての撮影画像１３ａを生成し、表示装置２０ｂに表示された第２画像を撮影することによって第２撮影画像として撮影画像１３ｂを生成する少なくとも一つの撮影装置の一例であり、例えば、スマートフォン、タブレット端末等のカメラを内蔵する携帯情報端末である。
【００２０】
なお、本実施の形態では、１台の撮影装置３０によって、撮影画像１３ａ及び１３ｂが生成されるが、２台の撮影装置によって、別々に、撮影画像１３ａ及び１３ｂが生成されてもよい。その場合には、本実施の形態における撮影装置３０は、２台の撮影装置の集合を意味する。つまり、撮影装置３０は、表示装置２０ａを撮影して撮影画像１３ａを生成する第１撮影装置、及び、表示装置２０ｂを撮影して撮影画像１３ｂを生成する第２撮影装置の集合を意味する。
【００２１】
また、本実施の形態では、図１に示されるように、撮影装置３０は、無線ＬＡＮ等の無線通信によって補正用画像１１ａを表示装置２０ａに送信することで表示装置２０ａに補正用画像１１ａを表示させ、表示された補正用画像１１ａを撮影することで得られた撮影画像１３ａを、インターネット又はＬＴＥ（Ｌｏｎｇ  Ｔｅｒｍ  Ｅｖｏｌｕｔｉｏｎ）等の通信路を介してサーバ装置５０に送信する。同様に、撮影装置３０は、無線ＬＡＮ等の無線通信によって補正用画像１１ｂを表示装置２０ｂに送信することで表示装置２０ｂに補正用画像１１ｂを表示させ、表示された補正用画像１１ｂを撮影することで得られた撮影画像１３ｂを、インターネット又はＬＴＥ等の通信路を介してサーバ装置５０に送信する。
【００２２】
なお、撮影装置３０は、撮影画像１３ａ及び１３ｂをサーバ装置５０に送信する際に、ユーザから得た表示装置２０ａ及び２０ｂ並びにユーザに関する情報（つまり、付加情報１４ａ及び１４ｂ）も送信する。このとき、撮影画像１３ａ及び１３ｂは、一緒に送信されてもよいし、別々のタイミングで送信されてもよい。また、付加情報１４ａ及び１４ｂについても、一緒に送信されてもよいし、別々のタイミングで送信されてもよい。さらに、撮影画像１３ａ及び付加情報１４ａ、あるいは、撮影画像１３ｂ及び付加情報１４ｂについても、一緒に送信されてもよいし、別々のタイミングで送信されてもよい。
【００２３】
サーバ装置５０は、撮影装置３０と通信路で接続され、撮影装置３０で生成された撮影画像１３ａ及び１３ｂ及び付加情報１４ａ及び１４ｂを、通信路を介して取得し、取得した撮影画像１３ａ及び１３ｂ並びに付加情報１４ａ及び１４ｂに基づいて、表示装置２０ａ及び２０ｂの表示特性を特定し、特定した表示装置２０ａの表示特性と表示装置２０ｂの表示特性との間に差があるか否かを判断し、差があると判断した場合に、当該差を示す差情報１５を撮影装置３０に送信する装置であり、例えば、撮影装置３０とインターネット等で接続されたコンピュータ装置である。サーバ装置５０から差情報１５を受信した撮影装置３０は、受信した差情報１５をユーザに提示する。これにより、表示装置２０ａ及び２０ｂがサーバ装置５０による画質調整を前提として設計されていない一般の表示装置であっても、ユーザは、表示装置２０ａ及び２０ｂの表示特性に差がある場合に、その差を目で確認することができる。
【００２４】
なお、撮影装置３０が２台の撮影装置の集合を意味する場合には、サーバ装置５０は、差情報１５を、撮影装置３０を構成する２台の撮影装置の少なくとも一方に送信する。そして、差情報１５を受信した２台の撮影装置の少なくとも一方は、受信した差情報１５をユーザに提示する。
【００２５】
また、本実施の形態では、サーバ装置５０は、差情報１５の提供だけでなく、表示装置２０ａの表示特性と表示装置２０ｂの表示特性との間に差があると判断した場合に、ユーザからの指示に基づいて、表示装置２０ａの表示特性と表示装置２０ｂの表示特性との差を小さくするための、表示装置２０ａ及び２０ｂの少なくとも一方の表示特性を補正する補正データ（つまり、補正データ１２ａ及び１２ｂの少なくとも一方）を生成（つまり、表示特性の校正を）し、生成した補正データを対応する表示装置２０ａ及び２０ｂの少なくとも一方に向けて送信する。補正データ１２ａ及び１２ｂは、それぞれ、表示装置２０ａ及び２０ｂで用いられるＬＵＴである。
【００２６】
具体的には、サーバ装置５０は、生成した補正データ１２ａ及び１２ｂの少なくとも一方を撮影装置３０に送信し、撮影装置３０は、サーバ装置５０から送信されてきた補正データ１２ａ及び１２ｂの少なくとも一方を対応する表示装置２０ａ及び２０ｂの少なくとも一方に転送する。これにより、表示装置２０ａ及び２０ｂの少なくとも一方が有する補正データが更新され、表示装置２０ａ及び２０ｂの表示特性が揃えられる。なお、撮影装置３０から表示装置２０ａ又は２０ｂへの補正データの転送に際して、撮影装置３０は、補正データが重畳された映像信号を対応する表示装置２０ａ又は２０ｂに入力させることもできる。補正データの映像信号への重畳は、例えば、映像信号における帰線消去期間に補正データを挿入することで行われる。
【００２７】
図２Ａは、図１に示された表示装置２０ａの構成を示すブロック図である。本図に示されるように、表示装置２０ａは、通信部２１ａ、入力端子２２ａ、映像信号生成部２３ａ、映像信号処理部２４ａ、及び、表示パネル２８ａを備える。
【００２８】
通信部２１ａは、撮影装置３０を含む外部機器と通信する通信アダプタであり、例えば、Ｂｌｕｅｔｏｏｔｈ（登録商標）又は無線ＬＡＮ用の通信アダプタである。
【００２９】
入力端子２２ａは、映像信号を受け取る端子であり、例えば、ＶＧＡ端子、ＤＶＩ端子、又は、ＨＤＭＩ（登録商標）端子等である。
【００３０】
映像信号生成部２３ａは、通信部２１ａから入力された映像又は画像を映像信号に変換し、あるいは、入力端子２２ａから入力された映像信号を中継することにより、映像信号を生成して映像信号処理部２４ａに出力する回路であり、例えば、グラフィックスプロセッサ等である。また、映像信号生成部２３ａは、通信部２１ａを介して、あるいは、入力端子２２ａを介して、撮影装置３０から送信されてくる、補正データ１２ａが重畳された映像信号を受信した場合には、受信した映像信号から補正データ１２ａを抽出し、抽出した補正データ１２ａ及び抽出後の映像信号を映像信号処理部２４ａに転送する。
【００３１】
映像信号処理部２４ａは、通信部２１ａ又は映像信号生成部２３ａから送られてきた補正データ１２ａを保持するための記憶部２５ａを有し、映像信号生成部２３ａから入力された映像信号に対して、記憶部２５ａに保持された補正データ１２ａを用いて補正を行い、補正後の映像信号を表示パネル２８ａに出力する回路である。補正データは、入力信号の各階調値に対して出力信号に変換するために乗じる係数の集まりであり、例えば、ガンマ曲線を示すデータである。補正データ１２ａは、表示パネルの画素位置（あるいは、画素ブロック）に依存しない代表的な入出力特性を示すデータであってもよいし、表示パネルの画素位置（あるいは、画素ブロック）に依存した空間的な輝度特性（つまり、「輝度ムラ」）を示すデータであってもよいし、それらの両方であってもよい。
【００３２】
表示パネル２８ａは、映像信号処理部２４ａから入力された映像信号を表示するディスプレイパネルであり、例えば、タイミング・コントローラ（Ｔｉｍｉｎｇ  Ｃｏｎｔｒｏｌｌｅｒ：ＴＣＯＮ）、データ信号線ドライバ、アドレス信号線ドライバ、及び、液晶パネル等で構成される。
【００３３】
図２Ｂは、図１に示された表示装置２０ｂの構成を示すブロック図である。本図に示されるように、表示装置２０ｂは、図２Ａに示された表示装置２０ａと同様の構成（つまり、通信部２１ｂ、入力端子２２ｂ、映像信号生成部２３ｂ、映像信号処理部２４ｂ、及び、表示パネル２８ｂ）を備える。
【００３４】
通信部２１ｂ、入力端子２２ｂ、映像信号生成部２３ｂ、映像信号処理部２４ｂ、及び、表示パネル２８ｂは、それぞれ、図２Ａに示される通信部２１ａ、入力端子２２ａ、映像信号生成部２３ａ、映像信号処理部２４ａ、及び、表示パネル２８ａと同じ機能を有するので、詳細な説明を省略する。
【００３５】
なお、本実施の形態では、表示装置２０ａ及び２０ｂは、同一の構成を備えたが、それぞれが、ディスプレイとしての基本的な機能を備える限り、完全に同一な機能及び性能を有する必要はない。
【００３６】
図３は、図１に示された撮影装置３０の構成を示すブロック図である。本図に示されるように、撮影装置３０は、撮像部３１、入力部３２、表示部３３、通信部３４、制御部３５、及び、記憶部３６を備える。撮影装置３０は、上述したように、例えば、スマートフォン、タブレット端末等の携帯情報端末である。よって、撮像部３１、入力部３２、表示部３３、通信部３４、制御部３５、及び、記憶部３６は、一体化され、一つの小型携帯用の筐体に収容されている。
【００３７】
撮像部３１は、カメラであり、本実施の形態では、表示装置２０ａ及び２０ｂに表示された補正用画像を撮影するために用いられ、例えば、携帯情報端末に内蔵されたカラーのＣＣＤ又はＣＭＯＳイメージセンサ等である。なお、補正用画像とは、サーバ装置５０が表示装置２０ａ及び２０ｂの表示特性の差を検出する、あるいは、表示装置２０ａ及び２０ｂの少なくとも一方の表示特性を校正するための画像である。
【００３８】
入力部３２は、ユーザの指示を受け取る入力デバイスであり、例えば、タッチパネル、ボタン等である。
【００３９】
表示部３３は、ディスプレイであり、例えば、ＬＣＤ等である。
【００４０】
通信部３４は、表示装置２０ａ及び２０ｂ及びサーバ装置５０を含む外部機器と通信する通信アダプタであり、例えば、Ｂｌｕｅｔｏｏｔｈ（登録商標）、有線／無線ＬＡＮ、又は、インターネット用の通信アダプタであってもよいし、異なる種類の通信アダプタの集まりであってもよい。
【００４１】
制御部３５は、撮像部３１、入力部３２、表示部３３、通信部３４、及び、記憶部３６を制御することで撮影装置３０として各種機能を発揮する処理部である。具体的には、制御部３５は、アプリ等のプログラムが格納されたメモリ、そのプログラムを実行するプロセッサ、各種入出力ポート等を有する制御回路であり、プロセッサがプログラムを実行することによって発揮される機能的な構成要素として、アップロード部３５ａ、ダウンロード部３５ｂ、及び、補正用画像指示部３５ｃを有する。
【００４２】
アップロード部３５ａは、撮像部３１による撮影によって得られた撮影画像１３ａ及び１３ｂと入力部３２を介してユーザから得た付加情報１４ａ及び１４ｂとを、通信部２１ａを介してサーバ装置５０に送信（つまり、アップロード）する。
【００４３】
ダウンロード部３５ｂは、サーバ装置５０から通信部２１ａを介して送られてきた補正データ１２ａ及び１２ｂの少なくとも一方を対応する表示装置２０ａ及び２０ｂの少なくとも一方に転送（つまり、ダウンロード）する。
【００４４】
補正用画像指示部３５ｃは、記憶部３６に記憶された補正用画像１１ａ及び１１ｂを、通信部３４を介して表示装置２０ａ及び２０ｂに送信して表示装置２０ａ及び２０ｂに表示させる。
【００４５】
記憶部３６は、補正用画像１１ａ及び１１ｂを保持するだけなく、各種画像及びデータを記憶するメモリであり、例えば、不揮発性メモリである。
【００４６】
図４は、図１に示されたサーバ装置５０の構成を示すブロック図である。本図に示されるように、サーバ装置５０は、通信部５１、入力部５２、制御部５３、表示部５４、及び、記憶部５５を備える。サーバ装置５０は、上述したように、例えば、撮影装置３０とインターネット等で接続されたコンピュータ装置である。
【００４７】
通信部５１は、撮影装置３０を含む外部機器と通信する通信アダプタであり、例えば、有線／無線ＬＡＮ又はインターネット用の通信アダプタであってもよいし、異なる種類の通信アダプタの集まりであってもよい。
【００４８】
入力部５２は、ユーザの指示を受け取る入力デバイスであり、例えば、キーボード、マウス等である。
【００４９】
表示部５４は、ディスプレイであり、例えば、ＬＣＤ等である。
【００５０】
制御部５３は、通信部５１、入力部５２、表示部５４、及び、記憶部５５を制御することで、表示装置２０ａ及び２０ｂの表示特性を管理するサーバとしての機能を発揮する処理部である。具体的には、制御部５３は、プログラムが格納されたメモリ、そのプログラムを実行するプロセッサ、各種入出力ポート等を有する制御回路であり、プロセッサがプログラムを実行することによって発揮される機能的な構成要素として、演算部５３ａ、及び、補正データ伝達部５３ｂを有する。
【００５１】
演算部５３ａは、撮影装置３０での撮影によって得られた撮影画像１３ａ及び１３ｂ並びに付加情報１４ａ及び１４ｂを、通信部５１を介して取得して記憶部５５に保存したり、取得した撮影画像１３ａ及び１３ｂに対して演算を行うことで、表示装置２０ａ及び２０ｂの表示特性の差を示す差情報１５を生成したり、表示装置２０ａ及び２０ｂの表示特性を補正するための補正データ１２ａ及び１２ｂを生成したりする。このとき、演算部５３ａは、付加情報１４ａ及び１４ｂを参照することにより、対応する表示装置の識別情報に対応づけて補正データ１２ａ及び１２ｂを生成して記憶部３６に保存する。
【００５２】
具体的には、演算部５３ａは、差情報１５の生成として、撮影装置３０から取得した撮影画像１３ａ及び１３ｂについて、代表点における輝度及び色度の差を算出し、算出した差を示す情報を差情報１５として生成する。そして、演算部５３ａは、算出した差が閾値を超えるか否かを判断し、超える場合に、表示装置２０ａ及び２０ｂの表示特性に差があると判断する。
【００５３】
また、演算部５３ａは、表示装置２０ａ及び２０ｂの表示特性に差があると判断した場合に、表示装置２０ａの表示特性と表示装置２０ｂの表示特性との差を小さくするための、表示装置２０ａ及び２０ｂの少なくとも一方の表示特性を補正する補正データ（つまり、補正データ１２ａ及び１２ｂの少なくとも一方）を生成する。
【００５４】
補正データ伝達部５３ｂは、演算部５３ａが生成した差情報１５を、通信部５１を介して、撮影装置３０に送信する。また、補正データ伝達部５３ｂは、演算部５３ａが生成した補正データを、通信部５１を介して、対応する表示装置２０ａ及び２０ｂの少なくとも一つに向けて送信（つまり、ダウンロード）する。
【００５５】
なお、制御部５３は、自動で、あるいは、ユーザからの入力部３２もしくは入力部５２を介した指示に従って、撮影装置３０から取得した撮影画像１３ａ及び１３ｂを、取得した日時を示す時間情報とともに、表示装置２０ａ及び２０ｂに対応づけて、記憶部５５に蓄積することを繰り返す。そして、蓄積した撮影画像１３ａ及び１３ｂを解析することで、表示装置２０ａ及び２０ｂの表示特性の経年変化を特定し、特定した経年変化に基づいて表示装置２０ａ及び２０ｂの寿命を予測する。
【００５６】
記憶部５５は、撮影装置３０から取得された撮影画像１３ａ及び１３ｂ並びに付加情報１４ａ及び１４ｂを保存するメモリであり、例えば、不揮発性メモリである。
【００５７】
次に、以上のように構成された本実施の形態に係る表示装置管理システム１０の動作について説明する。
【００５８】
図５は、図１に示された表示装置管理システム１０の基本動作（つまり、表示装置管理方法）を示すシーケンス図である。ここでは、表示装置２０ａ及び２０ｂ、撮影装置３０並びにサーバ装置５０の動作手順及び通信のやりとりが示されている。
【００５９】
まず、ユーザは、表示特性の管理の対象となる一つ目の表示装置２０ａに対して、撮影装置３０を用いて、表示特性を導出するための撮影画像１３ａを取得してサーバ装置５０にアップロードする（Ｓ１０ａ〜Ｓ１３ａ）。
【００６０】
具体的には、まず、撮影装置３０において、入力部３２を介したユーザからの指示に従って、制御部３５の補正用画像指示部３５ｃは、記憶部３６から補正用画像１１ａを読み出し、読み出した補正用画像１１ａを、通信部３４を介して表示装置２０ａに送信する（Ｓ１０ａ）。なお、記憶部３６には、様々な目的又は精度に対応した複数の補正用画像を格納しておき、補正用画像指示部３５ｃは、入力部３２からのユーザの指示に従って、複数の補正用画像の中から選択された補正用画像１１ａを記憶部３６から読み出して表示装置２０ａに送信してもよい。
【００６１】
そして、表示装置２０ａにおいて、通信部２１ａを介して受信された補正用画像１１ａは、映像信号生成部２３ａによって映像信号に変換され、変換後の映像信号は、映像信号処理部２４ａに送られる。そして、映像信号処理部２４ａにおいて、入力された映像信号は、記憶部２５ａに格納された補正データ１２ａで補正され、表示パネル２８ａに送られて表示される（Ｓ１１ａ）。
【００６２】
そして、撮影装置３０において、撮像部３１は、表示装置２０ａに表示された補正用画像１１ａを撮影する（Ｓ１２ａ）。なお、輝度校正を行う場合は、補正用画像１１ａを撮影装置３０から表示装置２０ａに送信して表示装置２０ａで表示し、表示装置２０ａに表示された補正用画像１１ａを撮影装置３０が撮像して保持する（記憶部３６に一時保存する）という処理（Ｓ１０ａ〜Ｓ１２ａ）を、輝度が異なる複数の補正用画像１１ａについて繰り返す。
【００６３】
そして、撮影装置３０のアップロード部３５ａは、撮像部３１による撮影によって得られた撮影画像１３ａを、通信部２１ａを介してサーバ装置５０に送信する（Ｓ１３ａ）。このとき、アップロード部３５ａは、サーバ装置５０に撮影画像１３ａを送信する際に、合わせて、入力部３２を介してユーザから得た付加情報１４ａもサーバ装置５０に送信する。
【００６４】
次に、ユーザは、表示特性の管理の対象となる二つ目の表示装置２０ｂに対して、撮影装置３０を用いて、表示特性を導出するための撮影画像１３ｂを取得してサーバ装置５０にアップロードする（Ｓ１０ｂ〜Ｓ１３ｂ）。
【００６５】
なお、ステップＳ１０ｂ〜Ｓ１３ｂの詳細については、対象の表示装置が異なる点を除いてステップＳ１０ａ〜Ｓ１３ａと同じであるので、説明を省略する。
【００６６】
撮影装置３０から送信されてきた撮影画像１３ａ及び１３ｂ並びに付加情報１４ａ及び１４ｂを取得したサーバ装置５０では、演算部５３ａは、撮影画像１３ａ及び１３ｂに対して演算を行うことで、差情報１５と、必要に応じて、補正データ１２ａ及び１２ｂの少なくとも一方を生成する（Ｓ１４）。
【００６７】
具体的には、演算部５３ａは、撮影装置３０から取得した撮影画像１３ａ及び１３ｂについて、代表点における輝度及び色度の差を算出し、算出した差を示す情報を差情報１５として生成する。そして、演算部５３ａは、算出した差が所定の閾値を超えるか否かを判断し、超える場合に、表示装置２０ａ及び２０ｂの表示特性に差があると判断する。
【００６８】
また、演算部５３ａは、表示装置２０ａ及び２０ｂの表示特性に差があると判断した場合に、ユーザからの指示に基づいて、表示装置２０ａの表示特性と表示装置２０ｂの表示特性との差を小さくするための、表示装置２０ａ及び２０ｂの少なくとも一方の表示特性を補正する補正データ（つまり、補正データ１２ａ及び１２ｂの少なくとも一方）を生成する。
【００６９】
続いて、サーバ装置５０の補正データ伝達部５３ｂは、演算部５３ａが生成した差情報１５、及び、演算部５３ａが補正データを生成した場合には生成した補正データを、通信部５１を介して、撮影装置３０に送信する（Ｓ１５）。
【００７０】
サーバ装置５０から送信されてきた差情報１５及び補正データ（つまり、補正データ１２ａ及び１２ｂの少なくとも一方）を受信した撮影装置３０では、制御部３５は、図６の表示例のように、受信した差情報１５を表示部３３に表示する（Ｓ１６）。図６は、図１に示された撮影装置３０による差情報１５の表示例を示す図である。ここでは、２台の表示装置２０ａ及び２０ｂ（「第１表示装置」及び「第２表示装置」）における輝度及び色度の差が表示され、「第１表示装置及び第２表示装置の表示特性を校正しますか？」との質問が表示されている。
【００７１】
上記質問に対して入力部３２を介して「Ｙｅｓ」が入力されると、ダウンロード部３５ｂは、撮影装置３０がサーバ装置５０から、表示装置２０ａ用の補正データ１２ａを受信している場合には、受信している補正データ１２ａを、通信部３４を介して、表示装置２０ａに転送する、あるいは、受信している補正データ１２ａが重畳された映像信号を表示装置２０ａの入力端子２２ａに入力する（Ｓ１７ａ）。表示装置２０ａでは、撮影装置３０から送られてきた補正データ１２ａは、通信部２１ａで受信され、あるいは、映像信号に重畳されて入力端子２２ａで受信された後に映像信号生成部２３ａで抽出され、映像信号処理部２４ａによって、記憶部２５ａに上書き保存される（Ｓ１８ａ）。これによって、記憶部２５ａの補正データ１２ａは更新される。
【００７２】
同様に、上記質問に対して入力部３２を介して「Ｙｅｓ」が入力され、かつ、撮影装置３０がサーバ装置５０から、表示装置２０ｂ用の補正データ１２ｂを受信している場合には、ダウンロード部３５ｂは、受信している補正データ１２ｂを、通信部３４を介して、表示装置２０ｂに転送する、あるいは、受信している補正データ１２ｂが重畳された映像信号を表示装置２０ｂの入力端子２２ｂに入力する（Ｓ１７ｂ）。表示装置２０ｂでは、撮影装置３０から送られてきた補正データ１２ｂは、通信部２１ｂで受信され、あるいは、映像信号に重畳されて入力端子２２ｂで受信された後に映像信号生成部２３ｂで抽出され、映像信号処理部２４ｂによって、記憶部２５ｂに上書き保存される（Ｓ１８ｂ）。これによって、記憶部２５ｂの補正データ１２ｂは更新される。
【００７３】
以上のように、本実施の形態に係る表示装置管理システム１０は、少なくとも２台の表示装置２０ａ及び２０ｂの表示特性を管理する表示装置管理システム１０であって、表示装置２０ａに表示された第１画像を撮影することによって撮影画像１３ａを生成し、表示装置２０ｂに表示された第２画像を撮影することによって撮影画像１３ｂを生成する少なくとも一つの撮影装置３０と、撮影装置３０と通信路で接続され、撮影装置３０で生成された撮影画像１３ａ及び１３ｂを、通信路を介して取得し、取得した撮影画像１３ａ及び１３ｂに基づいて、表示装置２０ａ及び２０ｂの表示特性を特定し、特定した表示装置２０ａの表示特性と表示装置２０ｂの表示特性との間に差があるか否かを判断し、差があると判断した場合に、当該差を示す差情報１５を撮影装置３０に送信するサーバ装置５０とを備え、撮影装置３０は、サーバ装置５０から差情報１５を受信した場合に、受信した差情報１５を提示する。
【００７４】
これにより、表示装置２０ａ及び２０ｂは、通信路でサーバ装置５０と接続されていない等、画質調整システムの対象としての条件を備えていなくても、撮影装置３０による撮影によって得られた撮影画像がサーバ装置５０にアップロードされ、サーバ装置５０において表示装置２０ａ及び２０ｂの表示特性の差が検出され、検出された差が撮影装置３０において提示される。よって、撮影装置３０のユーザは、表示装置２０ａ及び２０ｂがサーバ装置による画質調整を前提として設計されていない一般の表示装置であっても、表示装置２０ａ及び２０ｂの表示特性の差を知り、表示装置２０ａ及び２０ｂを管理することができる。
【００７５】
また、サーバ装置５０は、表示装置２０ａの表示特性と表示装置２０ｂの表示特性との間に差があると判断した場合に、さらに、表示装置２０ａの表示特性と表示装置２０ｂの表示特性との差を小さくするための、表示装置２０ａ及び２０ｂの少なくとも一方の表示特性を補正する補正データ（つまり、補正データ１２ａ及び１２ｂの少なくとも一方）を生成し、生成した補正データを表示装置２０ａ及び２０ｂの少なくとも一方に向けて送信する。
【００７６】
これにより、表示装置２０ａの表示特性と表示装置２０ｂの表示特性との間に差がある場合に、その差を小さくするための補正データが生成されて表示装置２０ａ及び２０ｂの少なくとも一方に向けて送信されるので、補正データを受信した表示装置が、内部に保持する補正データを、受信した補正データで更新することで、表示装置２０ａ及び２０ｂの表示特性の差が抑制される。
【００７７】
また、撮影装置３０は、撮像部３１を有する携帯情報端末である。
【００７８】
これにより、広く普及したスマートフォン等の携帯情報端末によって撮影装置３０が実現されるので、表示装置２０ａ及び２０ｂが設置された現場では、特別なハードウェアを必要とすることなく、アプリをインストール等するだけで表示装置２０ａ及び２０ｂの表示特性を揃えることができる。
【００７９】
また、撮影装置３０は、補正用画像１１ａ及び１１ｂを、それぞれ、表示装置２０ａ及び２０ｂに送信し、表示装置２０ａは、撮影装置３０から送信されてきた補正用画像１１ａを取得し、第１画像として表示し、表示装置２０ｂは、撮影装置３０から送信されてきた補正用画像１１ｂを取得し、第２画像として表示する。
【００８０】
これにより、撮影装置３０が保持する補正用画像を表示装置２０ａ及び２０ｂに表示させたうえで表示装置２０ａ及び２０ｂの表示特性の比較及び校正ができるので、表示特性の比較及び校正に用いる補正用画像として、撮影装置３０側で任意に選択することが可能になる。
【００８１】
また、サーバ装置５０は、生成した補正データ（つまり、補正データ１２ａ及び１２ｂの少なくとも一方）を撮影装置３０に送信し、撮影装置３０は、サーバ装置５０から送信されてきた補正データを表示装置２０ａ及び２０ｂの少なくとも一方に転送する。
【００８２】
これにより、サーバ装置５０で生成された補正データは、撮影装置３０を介して表示装置２０ａ及び２０ｂの少なくとも一方に転送されるので、表示装置２０ａ及び２０ｂは、直接、サーバ装置５０と接続されていなくても、撮影装置３０から転送されてくる補正データを受信することで、表示特性を更新できる。
【００８３】
また、撮影装置３０は、補正データが重畳された映像信号を対応する表示装置２０ａ及び２０ｂの少なくとも一方に入力させることで、補正データを対応する表示装置２０ａ及び２０ｂの少なくとも一方に転送する。
【００８４】
これにより、補正データは、映像信号に重畳されて表示装置２０ａ及び２０ｂに入力される。よって、表示装置２０ａ及び２０ｂは、撮影装置３０から補正データだけを取得するための特殊な入力用インタフェースを備える必要がなくなる。
【００８５】
また、本実施の形態に係る表示装置管理方法は、少なくとも２台の表示装置２０ａ及び２０ｂの表示特性を管理する表示装置管理方法であって、撮影装置３０が、表示装置２０ａに表示された第１画像を撮影することによって撮影画像１３ａを生成し、表示装置２０ｂに表示された第２画像を撮影することによって撮影画像１３ｂを生成し（Ｓ１０ａ〜Ｓ１３ａ、Ｓ１０ｂ〜Ｓ１３ｂ）、撮影装置３０と通信路で接続されたサーバ装置５０が、撮影装置３０で生成された撮影画像１３ａ及び１３ｂを、通信路を介して取得し、取得した撮影画像１３ａ及び１３ｂに基づいて、表示装置２０ａ及び２０ｂの表示特性を特定し、特定した表示装置２０ａの表示特性と表示装置２０ｂの表示特性との間に差があるか否かを判断し、差があると判断した場合に、当該差を示す差情報１５を撮影装置３０に送信し（Ｓ１４、Ｓ１５）、撮影装置３０は、サーバ装置５０から差情報１５を受信した場合に、受信した情報を提示するＳ１６）。
【００８６】
これにより、表示装置２０ａ及び２０ｂは、通信路でサーバ装置５０と接続されていない等、画質調整システムの対象としての条件を備えていなくても、サーバ装置５０において表示装置２０ａ及び２０ｂの表示特性の差が検出され、検出された差が撮影装置３０において提示される。よって、撮影装置３０のユーザは、表示装置２０ａ及び２０ｂがサーバ装置による画質調整を前提として設計されていない一般の表示装置であっても、表示装置２０ａ及び２０ｂの表示特性の差を知り、表示装置２０ａ及び２０ｂを管理することができる。
【００８７】
次に、本実施の形態に係る表示装置管理システム１０の具体的な実施例を説明する。
【００８８】
（実施例１）
まず、実施例１として、実施の形態に係る表示装置管理システム１０における付加情報１４ａ及び１４ｂの具体例を説明する。
【００８９】
図７Ａは、実施例１に係る表示装置管理システム１０における付加情報１４ａ及び１４ｂのデータ属性例を示す図である。本図に示されるように、撮影装置３０がサーバ装置５０に送信する付加情報は、プライベートデータ又はパブリックデータのいずれかに分類される。
【００９０】
プライベートデータは、個人情報であり、基本的に、サーバ装置５０において、対応する表示装置の所有者又は管理者のみに対して閲覧が許可される。具体的には、プライベートデータは、表示装置の所有者（ただし、団体を含む）、管理者（ただし、団体も含む）、個体名、及び、設置場所等を示す情報である。例えば、プライベートデータは、表示装置２０ａ又は２０ｂの所有者、表示装置２０ａ又は２０ｂの管理者、表示装置２０ａ又は２０ｂの個体名、及び、表示装置２０ａ又は２０ｂの設置場所に関する情報の少なくとも１つを含む。  一方、パブリックデータは、公衆による閲覧が許可された情報であり、例えば、サーバ装置５０において、機器メーカ（つまり、表示装置の製造会社）、校正メーカ（つまり、表示装置の表示特性を校正する会社）等に対しても閲覧が許可され、統計処理等に利用され得る。具体的には、パブリックデータは、表示装置の個体ＩＤ（つまり、識別情報）、機器メーカ、測定データ（つまり、撮影画像、撮影画像から得られる輝度、色度等）、点灯時間（つまり、通電時間）、及び、それらの履歴等を示す情報である。例えば、パブリックデータは、表示装置２０ａ又は２０ｂの個体ＩＤ、表示装置２０ａ又は２０ｂの製造会社、撮影画像１３ａ又は１３ｂに基づく測定データに関する情報の少なくとも１つを含む。
【００９１】
図７Ｂは、実施例１に係る表示装置管理システム１０における付加情報１４ａ及び１４ｂのうちパブリックデータの用途例を示す図である。本図に示されるように、サーバ装置５０は、撮影装置３０から取得したパブリックデータを用いて、表示装置の測定データ（特に、輝度、色度）と点灯時間の履歴とを対応づけて蓄積し相関関係を解析することで、ＬＣＤの寿命を示す統計データを作成したり、個々の表示装置の寿命を予測したり、撮影装置３０に対して表示装置の交換時期のお知らせ（あるいは、より長時間使用できる使用法の提案、代替機との交換の提案等）をプッシュ通知したりする。
【００９２】
プッシュ通知のメッセージ例として、「輝度が基準値より低下しています。校正が必要です。」、「輝度が著しく低下する兆候が見られます。近日中に基準値を下回る恐れがあります。代替機の用意をご検討ください。」、「ＸＸ（例えば、バックライト）の設定が輝度低下を促進しています。製品寿命を延ばすにはＹＹの設定（例えば、バックライトの輝度を８０％に設定すること）をご検討ください。」等が挙げられる。
【００９３】
このように、撮影装置３０は、撮影画像１３ａ及び１３ｂ等をパブリックデータとしてサーバ装置５０に送信し、パブリックデータとは異なる別の情報をプライベートデータとしてサーバ装置５０に送信し、サーバ装置５０は、撮影装置３０から受信したプライベートデータを、（１）表示装置２０ａ又は２０ｂの所有者、（２）表示装置２０ａ又は２０ｂの管理者、及び、（３）一般ユーザのうちの、一般ユーザを除く所有者又は管理者等に提供し、撮影装置３０から受信したパブリックデータを所有者、管理者及び一般ユーザに提供する。
【００９４】
これにより、パブリックデータ又はパブリックデータから導出される情報については、広く、一般人又は会社に提供され、所有者を限定しない多数の表示装置を対象とする寿命の解析等に広く活用され得る。
【００９５】
また、パブリックデータには、当該パブリックデータに含まれる撮影画像１３ａ及び１３ｂに対応する表示装置２０ａ及び２０ｂの識別情報、表示装置２０ａ及び２０ｂの製造会社、表示装置２０ａ及び２０ｂの測定結果、及び、表示装置２０ａ及び２０ｂの通電時間の少なくとも一つが含まれる。
【００９６】
これにより、表示装置の識別情報と対応づけて当該表示装置の測定結果及び通電時間を保存していくことで、個体としての表示装置の寿命又は故障時期等の予測が可能になる。
【００９７】
図７Ｃは、実施例１に係る表示装置管理システム１０における付加情報１４ａ及び１４ｂの取り扱い例を示す図である。本図に示されるように、通信方法に関して、撮影装置３０は、（１）プライベートデータを暗号文で、かつ、パブリックデータを平文でサーバ装置５０に送信する第１送信方法、及び、（２）プライベートデータを、使用できる者が制限される専用回線で、かつ、パブリックデータを、使用できる者が制限されない公衆回線でサーバ装置５０に送信する第２送信方法の少なくとも一つを用いる。
【００９８】
また、データの保存方法に関して、サーバ装置５０は、（１）プライベートデータを暗号文で、かつ、パブリックデータを平文で記憶部５５に保存する第１保存方法、及び、（２）プライベートデータを、使用できる者が制限される記憶部５５の記憶領域に、かつ、パブリックデータを、使用できる者が制限されない記憶部５５の記憶領域に保存する第２保存方法の少なくとも一つを用いる。
【００９９】
また、データへのアクセスに関して、サーバ装置５０は、（１）プライベートデータを、サーバ装置５０へのアクセスが制限される者に、かつ、パブリックデータをサーバ装置５０へのアクセスが制限されない者に提供する第１提供方法、及び、（２）プライベートデータを、サーバ装置５０へのアクセスが許可された端末装置に、かつ、パブリックデータをサーバ装置５０にアクセスしてきた端末装置に提供する第２提供方法の少なくとも一つを用いる。
【０１００】
これにより、通信方法、保存方法及びアクセス方法について、プライベートデータは、制限された方法で取り扱われ、パブリックデータは、制限のない方法で取り扱われるので、プライベートデータの秘密性が確保される。
【０１０１】
図７Ｄは、実施例１に係る表示装置管理システム１０においてパブリックデータの提供を促すインセンティブ例を示す図である。本図に示されるように、表示装置管理システム１０では、パブリックデータの提供を促すために、パブリックデータを提供してくれたユーザに対して、表示装置を交換することとなった際に代替機の貸し出し料金に対して割引を適用したり、表示装置の寿命予測を通知したりするサービスを提供する。
【０１０２】
つまり、後者の例では、サーバ装置５０は、撮影装置３０から受信したパブリックデータに含まれる撮影画像１３ａ及び１３ｂを解析して蓄積することで、表示装置２０ａ及び２０ｂの表示特性の経年変化を特定し、特定した経年変化に基づいて表示装置２０ａ及び２０ｂの寿命を予測し、予測した寿命に関する情報を、パブリックデータを提供した者に提供する。
【０１０３】
これにより、パブリックデータを表示装置管理システム１０に提供した場合に、所有する表示装置の寿命を知る恩恵を受けることができるので、パブリックデータを表示装置管理システム１０に提供することが促進される。
【０１０４】
（実施例２）
次に、実施例２として、実施の形態に係る表示装置管理システム１０による複数の表示装置を対象とするリンク機能を説明する。
【０１０５】
一般に、表示装置は、各種設定（例えば、明るさ、色合い等）をユーザが任意に変更できる。そのために、２台の表示装置について、表示特性を揃える校正によってハードウェア的にマッチングがとれていても、ユーザによって各種設定が異なった値に設定された場合には、同一の画像データを表示したときであっても、見え方が異なってしまう。そこで、本実施例に係る表示装置管理システム１０は、ハードウェア的にマッチングがとれている複数の表示装置がユーザの各種設定の変更によって見え方が異なることとなってしまうことを回避するためのリンク機能を備える。
【０１０６】
図８は、実施例２に係る表示装置管理システム１０のリンク機能の処理手順を示すフローチャートである。
【０１０７】
サーバ装置５０は、入力部５２又は通信部５１を介して、相互リンクの対象となる複数の表示装置の指定（つまり、識別情報）を受け付け、受け付けた複数の表示装置の識別情報を記憶部５５に登録しておく（Ｓ２０）。なお、相互リンクとは、表示特性を揃える対象となる複数の表示装置どうしを紐づけておくことである。また、ここでの表示特性は、表示装置管理システム１０による校正によって変更され得る表示特性だけでなく、ユーザによる表示装置に対する手動設定によって変更され得る表示特性も含まれる。
【０１０８】
そして、サーバ装置５０は、相互リンクの対象として登録された複数の表示装置のうちの一台について、表示特性を変更する指示を受け付けたか否かを判断する（Ｓ２１）。例えば、サーバ装置５０は、撮影装置３０からの撮影画像等のアップロードを受けたときに、表示特性を変更する指示を受け付けたと判断する。
【０１０９】
その結果、表示特性を変更する指示を受け付けたと判断した場合に（Ｓ２１でＹｅｓ）、サーバ装置５０は、事前の設定値（Ｓ２２）に応じて、次の処理Ｓ２３〜Ｓ２６の少なくとも一つを実行する。なお、事前の設定値（Ｓ２２）とは、撮影装置３０から通信部５１を介したサーバ装置５０への指示による事前の設定内容、又は、入力部５２を介した指示による事前の設定内容である。
【０１１０】
処理Ｓ２３では、サーバ装置５０は、指示の対象となる表示装置（以下、この表示装置を「第３表示装置」という）の表示特性を変更するとともに、第３表示装置と相互リンクされた他の表示装置（以下、この表示装置を「第４表示装置」という）の表示特性も強制的に変更する。具体的には、サーバ装置５０は、相互リンクの対象となる全ての表示装置に対して、表示特性を揃えるための校正を実施する、あるいは、制御コマンドを各表示装置に送信する等によって自動で各種設定を変更する。
【０１１１】
また、処理Ｓ２４では、サーバ装置５０は、第３表示装置の表示特性を変更する処理を実行しない、つまり、ユーザから表示特性を変更する指示に対して、表示特性の変更を拒絶する。
【０１１２】
また、処理Ｓ２５では、サーバ装置５０は、警告を提示する。例えば、サーバ装置５０は、撮影装置３０からの撮影画像等のアップロードを受けたときに、撮影装置３０に対して、「当該表示装置は、相互リンクの対象となっているので、表示特性を変更できません」等の警告メッセージを送る。
【０１１３】
処理Ｓ２６では、サーバ装置５０は、第３表示装置の表示特性を変更した後、一定の条件が満たされたときに第３表示装置の表示特性を変更前の状態に戻す。具体的には、サーバ装置５０は、第３表示装置の表示特性を変更する校正を実施する前に、第３表示装置の表示特性を示すデータを記憶部５５にバックアップとして保存しておき、校正を実施した後、一定の条件が満たされた（例えば、電源が再投入された）ときに、バックアップしていた表示特性に戻すための校正を実施することで、第３表示装置の表示特性を変更前の状態に戻す。
【０１１４】
このように、実施例２によれば、サーバ装置５０は、第３表示装置及び第４表示装置を相互リンクの対象とする登録をしている場合に、第３表示装置の表示特性を変更する指示を受けたときに、（１）第３表示装置の表示特性を変更するとともに、第４表示装置の表示特性も変更する、（２）第３表示装置の表示特性を変更しない、（３）警告を提示する、及び、（４）第３表示装置の表示特性を変更した後、一定の条件が満たされたときに第３表示装置の表示特性を変更前の状態に戻す、の少なくとも一つを行う。
【０１１５】
このようなサーバ装置５０のリンク機能により、ハードウェア的にマッチングがとれている複数の表示装置がユーザの各種設定の変更によって見え方が異なることとなってしまうことが回避される。
【０１１６】
なお、本実施例では、サーバ装置５０が複数の表示装置を対象とするリンク機能を有したが、これに限られず、撮影装置３０が複数の表示装置を対象とするリンク機能を有してもよい。つまり、図８のステップＳ２０〜Ｓ２６の全て、又は、一部のステップは、撮影装置３０で実行されてもよい。これにより、サーバ装置５０を必要とすることなく、撮影装置３０だけで、複数の表示装置を対象とするリンク機能が実現される。
【０１１７】
（実施例３）
次に、実施例３として、実施の形態に係る表示装置管理システム１０による複数の表示装置に対する表示特性の合わせ方の具体手法を説明する。
【０１１８】
表示装置管理システム１０によって複数の表示装置の表示特性の差を小さくするための校正が行われるが、複数の表示装置のいずれに対して校正を行うかについては、常に、自由に選択できるとは限らない。例えば、最大輝度が高くない表示装置に対して、その輝度を、最大輝度を超える高い値にする校正を行うことはできない。また、色再現範囲の狭い表示装置に対して、その色を、色再現範囲を超えて鮮やかにする校正を行うことはできない。
【０１１９】
そこで、本実施例に係る表示装置管理システム１０は、表示特性を揃える対象となる複数の表示装置の性能等を考慮した校正を行う。
【０１２０】
図９は、実施例３に係る表示装置管理システム１０による複数の表示装置に対する表示特性の合わせ方の具体手法を示すフローチャートである。図１０は、図９に示された具体手法を説明する図である。
【０１２１】
サーバ装置５０は、校正の依頼を受け付けた否かを判断する（Ｓ３０）。例えば、サーバ装置５０は、撮影装置３０から、表示装置２０ａ及び２０ｂの撮影画像１３ａ及び１３ｂ並びに付加情報１４ａ及び１４ｂを受信したときに、校正の依頼を受け付けたと判断する。
【０１２２】
そして、サーバ装置５０は、校正の依頼を受け付けた場合に（Ｓ３０でＹｅｓ）、事前の設定値（Ｓ３１）に応じて、次の処理Ｓ３２〜Ｓ３５の少なくとも一つを実行する。なお、事前の設定値（Ｓ３１）とは、撮影装置３０から通信部５１を介したサーバ装置５０への指示による事前の設定内容、又は、入力部５２を介した指示による事前の設定内容である。
【０１２３】
処理Ｓ３２では、サーバ装置５０は、対象の複数の表示装置のうち、表示特性の性能が最も劣る表示装置を除く表示装置に対して、校正を行う。例えば、図１０の（ａ）に示されるように、サーバ装置５０は、表示装置２０ａ及び２０ｂの校正を受け付けた場合には、表示装置２０ａ及び２０ｂのうち、表示特性が優れた一方の表示特性を校正する。具体的には、サーバ装置５０は、撮影装置３０から受信した付加情報１４ａ及び１４ｂに含まれる表示装置２０ａ及び２０ｂのモデル名等からネットワーク上のｗｅｂサーバあるいはデータベースを参照することで、表示装置２０ａ及び２０ｂの性能（輝度、色再現範囲及びコントラストの少なくとも一つ）を特定し、性能の高い表示装置（ここでは、表示装置２０ｂ）の表示特性を、性能の低い表示装置（ここでは、表示装置２０ａ）の表示特性に合わせるための補正データを生成し、撮影装置３０を介して表示装置に転送する。
【０１２４】
また、処理Ｓ３３では、サーバ装置５０は、対象の複数の表示装置のすべてに対して、表示特性を所定の基準に合わせる校正を行う。例えば、図１０の（ｂ）に示されるように、サーバ装置５０は、表示装置２０ａ及び２０ｂの校正を受け付けた場合には、表示装置２０ａ及び２０ｂの両方の表示特性を所定の基準に合わせる校正を行う。具体的には、サーバ装置５０は、表示装置２０ａ及び２０ｂの両方の表示特性を所定の基準に合わせるための補正データ１２ａ及び１２ｂを生成し、撮影装置３０を介して、それぞれ、表示装置２０ａ及び２０ｂに転送する。なお、所定の基準は、事前の調査等によって可能な限り多くの種類の表示装置が調整可能となる表示特性として、予め定められた表示特性である。
【０１２５】
また、処理Ｓ３４では、サーバ装置５０は、対象の複数の表示装置のうち、表示特性の性能が劣る表示装置がその劣る箇所を示す画像を提示するように、性能が劣る表示装置を制御する。なお、表示特性の性能が劣る表示装置とは、複数の表示装置のうち、最も表示特性の性能が優れた表示装置を除く表示装置であってもよいし、最も表示特性の性能が劣る表示装置であってもよい。例えば、サーバ装置５０は、表示装置２０ａ及び２０ｂの校正を受け付けた場合には、表示装置２０ａ及び２０ｂのうち、表示特性の性能が劣る表示装置が、性能が劣る箇所を示す画像を提示するように、表示装置を制御する。具体的には、サーバ装置５０は、撮影装置３０から受信した付加情報１４ａ及び１４ｂに含まれる表示装置２０ａ及び２０ｂのモデル名等からネットワーク上のｗｅｂサーバあるいはデータベースを参照することで、表示装置２０ａ及び２０ｂの性能（輝度、色再現範囲及びコントラストの少なくとも一つ）を特定し、性能が劣る表示装置の性能が劣る箇所を示す画像（例えば、色再現範囲において他の表示装置よりも狭い箇所を示す色度図、あるいは、表示画像に該当色が含まれる場合はその箇所を強調すべく色調を変えて表示）を生成し、生成した画像を、撮影装置３０を介して表示装置に転送し、表示装置に表示させる。
【０１２６】
また、処理Ｓ３５では、サーバ装置５０は、対象の複数の表示装置のうち、少なくとも一つの表示装置の表示特性を、当該表示装置のユーザから指示された基準に合わせる校正をする。例えば、図１０の（ｃ）に示されるように、サーバ装置５０は、表示装置２０ａ及び２０ｂの校正を受け付けた場合には、表示装置２０ａ及び２０ｂのうちの少なくとも一方の表示装置のユーザから指示された基準に合わせる校正をする。この基準は、例えば、表示装置のカタログが示す仕様、表示装置の校正データ（つまり、実測データ）等である。具体的には、校正の対象として表示装置２０ａが指示され、校正の基準として表示装置２０ａのカタログが示す仕様が指示されている場合には、サーバ装置５０は、撮影装置３０から受信した付加情報１４ａに含まれる表示装置２０ａのモデル名等からネットワーク上のｗｅｂサーバあるいはデータベースを参照することで表示装置２０ａのカタログが示す仕様を特定し、特定した仕様となるように表示装置２０ａの表示特性を校正することで補正データ１２ａを生成し、生成した補正データ１２ａを、撮影装置３０を介して表示装置２０ａに転送する。
【０１２７】
このように、実施例３によれば、サーバ装置５０は、表示装置２０ａ及び２０ｂの表示特性を合わせる指示を受け付けた場合に、（１）表示装置２０ａ及び２０ｂのうち、表示特性の性能が優れた一方の表示特性を校正する、（２）表示装置２０ａ及び２０ｂの表示特性を所定の基準に合わせる校正をする、（３）表示装置２０ａ及び２０ｂのうち、表示特性の性能が劣る一方に対して、表示特性の劣る箇所を示す画像を提示させる、及び、（４）表示装置２０ａ及び２０ｂの少なくとも一方の表示特性をユーザから指示された基準に合わせる校正をする、の少なくとも一つを行う。
【０１２８】
これにより、表示特性を揃える対象となる複数の表示装置の性能、あるいは、表示装置のユーザの希望等を考慮して、必要な表示装置に対して所望の校正が適切に実施される。
【０１２９】
（実施例４）
同一の画像データであっても複数の表示装置で表示させた場合に見え方が異なる現象が起こる原因には、表示装置の表示特性に対する校正では解消できないものがある。その原因の一つは、液晶モードの違いである。ここで、液晶モードとは、ＬＣＤにおける液晶方式（ＶＡ（Vertical Alignment）方式、ＩＰＳ（In-Plane-Switching）方式、ＴＮ（Twisted Nematic）方式のいずれであるか）である。原因のもう一つは、表示装置が備える表示パネルの構造の違いである。ここで、表示パネルの構造とは、表示パネルの解像度、サイズ、アスペクト比の少なくとも一つである。
【０１３０】
そこで、本実施例に係る表示装置管理システム１０は、複数の表示装置に対して、液晶モード及び表示パネルの構造の違いに起因する見え方の違いを緩和する（あるいは、ユーザに気づかせる）機能を有する。
【０１３１】
（１）液晶モードの違い
まず、液晶モードの違いに起因する見え方の違いを緩和する機能について説明する。
【０１３２】
図１１Ａは、ＶＡ方式とＩＰＳ方式におけるコントラストの視角依存性の例を示す図である。横軸は、視角を示し、縦軸は、コントラストを示す。実線は、ＩＰＳ方式の視角依存性を示し、破線は、ＶＡ方式の視角依存性を示す。本図から分かるように、ＩＰＳ方式に比べ、ＶＡ方式では、表示パネルを斜めから見た場合に、正面から見たときよりも急激にコントラストが低下する。
【０１３３】
図１１Ｂは、ＶＡ方式における色域の視角依存性の例（図１１Ｂの（ａ））と、ＩＰＳ方式における色域の視角依存性の例（図１１Ｂの（ｂ）とを示す図である。横軸は、ＣＩＥ色度図のｘ座標を示し、縦軸は、ＣＩＥ色度図のｙ座標を示している。実線は、視角が０度で表示可能な色域を示し、破線は、視角が５０度で表示可能な色域を示す。本図から分かるように、ＩＰＳ方式（図１１Ｂの（ｂ））に比べ、ＶＡ方式（図１１Ｂの（ａ））では、表示パネルを斜めから見た場合に、正面から見たときよりも色域が狭くなる。
【０１３４】
図１２は、実施例４に係る表示装置管理システム１０による複数の表示装置の液晶モードの違いを緩和する処理を示すフローチャートである。
【０１３５】
サーバ装置５０は、複数の表示装置について、液晶モードが異なるか否かを判断する（Ｓ４０）。例えば、サーバ装置５０は、表示装置２０ａ及び２０ｂについて、液晶モードが異なるか否かを判断する。具体的には、サーバ装置５０は、撮影装置３０から受信した付加情報１４ａ及び１４ｂに含まれる表示装置２０ａ及び２０ｂのモデル名等からネットワーク上のｗｅｂサーバあるいはデータベースを参照することで、表示装置２０ａ及び２０ｂの液晶モードを特定して比較することによって判断する。
【０１３６】
その結果、サーバ装置５０は、液晶モードが異ならないと判断した場合には（Ｓ４０でＮｏ）、処理を終了するが、液晶モードが異なると判断した場合には（Ｓ４０でＹｅｓ）、事前の設定値（Ｓ４１）に応じて、次の処理Ｓ４２〜Ｓ４４の少なくとも一つを実行する。なお、事前の設定値（Ｓ４１）とは、撮影装置３０から通信部５１を介したサーバ装置５０への指示による事前の設定内容、又は、入力部５２を介した指示による事前の設定内容である。
【０１３７】
処理Ｓ４２では、サーバ装置５０は、対象の複数の表示装置の液晶モードが異なることを提示する。例えば、サーバ装置５０は、表示装置２０ａ及び２０ｂの液晶モードが異なる場合には、表示における制約が発生することを、撮影装置３０、あるいは、表示装置２０ａ及び２０ｂの少なくとも一方が表示するように、撮影装置３０、あるいは、表示装置２０ａ及び２０ｂの少なくとも一方に通知する。その通知を受けた撮影装置３０、あるいは、表示装置２０ａ及び２０ｂの少なくとも一方は、例えば、「液晶パネルの違いにより、斜めから見ると見た目の差が大きくなります」とのメッセージを表示する。
【０１３８】
また、処理Ｓ４３では、サーバ装置５０は、見え方が異なる可能性がある部位を提示する。例えば、表示装置２０ａがＩＰＳ方式であり、表示装置２０ｂがＶＡ方式である場合には、サーバ装置５０は、見え方が異なる可能性がある部位を示す画像（例えば、表示装置に対して一定以上の視角となる視聴位置を示す画像）を生成し、生成した画像を、撮影装置３０、又は、撮影装置３０を介して表示装置２０ｂに転送し、撮影装置３０又は表示装置２０ｂに表示させる。あるいは、サーバ装置５０から視角依存性が大きいことの通知を受けた表示装置２０ｂは、画像表示において、見え方が異なる可能性がある部位の色を変えて強調表示する等により、見え方が異なる可能性がある部位を提示する。
【０１３９】
また、処理Ｓ４４では、サーバ装置５０は、見え方の差を抑制できる視聴位置又は視聴角度を提示する。例えば、表示装置２０ａがＩＰＳ方式であり、表示装置２０ｂがＶＡ方式である場合には、サーバ装置５０は、撮影装置３０又は表示装置２０ｂに対して、「表示パネルの正面から２ｍ離れた位置から見ることを推奨します。」とのメッセージを表示するように通知する。
【０１４０】
このように、実施例４によれば、サーバ装置５０は、表示装置２０ａ及び２０ｂの液晶モードが異なる場合に、（１）液晶モードが異なることを提示する、（２）見え方が異なる可能性がある部位を提示する、及び、（３）見え方の差を抑制できる視聴位置又は視聴角度を提示する、の少なくとも一つを行う。
【０１４１】
これにより、複数の表示装置において、液晶モードの違いに起因する見え方の違いが緩和される、あるいは、そのことにユーザが気づくことができる。
【０１４２】
（２）表示パネルの構造の違い
次に、表示パネルの構造の違いに起因する見え方の違いを緩和する機能について説明する。
【０１４３】
図１３は、実施例４に係る表示装置管理システム１０による複数の表示装置の表示パネルの構造の違いを緩和する処理を示すフローチャートである。
【０１４４】
サーバ装置５０は、複数の表示装置について、表示パネルの構造（つまり、解像度、サイズ、アスペクト比の少なくとも一つ）が異なるか否かを判断する（Ｓ５０）。例えば、サーバ装置５０は、表示装置２０ａ及び２０ｂについて、表示パネルの構造が異なるか否かを判断する。具体的には、サーバ装置５０は、撮影装置３０から受信した付加情報１４ａ及び１４ｂに含まれる表示装置２０ａ及び２０ｂのモデル名等からネットワーク上のｗｅｂサーバあるいはデータベースを参照することで、表示装置２０ａ及び２０ｂの表示パネルの構造を特定して比較することで、判断する。
【０１４５】
その結果、サーバ装置５０は、表示パネルの構造が異ならないと判断した場合には（Ｓ５０でＮｏ）、処理を終了するが、表示パネルの構造が異なると判断した場合には（Ｓ５０でＹｅｓ）、事前の設定値（Ｓ５１）に応じて、次の処理Ｓ５２〜Ｓ５４の少なくとも一つを実行する。なお、事前の設定値（Ｓ５１）とは、撮影装置３０から通信部５１を介したサーバ装置５０への指示による事前の設定内容、又は、入力部５２を介した指示による事前の設定内容である。
【０１４６】
処理Ｓ５２では、サーバ装置５０は、対象の複数の表示装置の表示パネルの構造が異なることを提示する。例えば、サーバ装置５０は、表示装置２０ａ及び２０ｂの表示パネルの構造が異なる場合には、表示における制約が発生することを、撮影装置３０、あるいは、表示装置２０ａ及び２０ｂの少なくとも一方が表示するように、撮影装置３０、あるいは、表示装置２０ａ及び２０ｂの少なくとも一方に通知する。その通知を受けた撮影装置３０、あるいは、表示装置２０ａ及び２０ｂの少なくとも一方は、例えば、「解像度が異なります。見る距離によっては印象が異なることがあります。」とのメッセージを表示する。
【０１４７】
また、処理Ｓ５３では、サーバ装置５０は、見え方の差を抑制できる推奨の視聴位置を提示する。例えば、表示装置２０ａ及び２０ｂが備える表示パネルの解像度が同じでサイズが異なる場合には、サーバ装置５０は、撮影装置３０又は表示装置２０ａ及び２０ｂに対して、「解像度が異なります。表示装置２０ａを見るときには表示装置２０ｂを見るときよりも１ｍ離れて見ることを推奨します。」とのメッセージを表示するように通知する。図１４は、表示装置が備える表示パネルの解像度が同じでサイズが異なる場合に、視距離（表示装置と視点との距離）を変えることで表示装置に表示された対象物の見える大きさが同じになることを説明する図である。本図に示されるように、表示装置から離れるほど、表示装置に表示された対象物の見える大きさが小さくなるので、表示パネルの解像度が同じでサイズが異なる場合に、視距離を変えることで表示装置に表示された対象物の見える大きさが同じになり得る。
【０１４８】
また、処理Ｓ５４では、サーバ装置５０は、対象の複数の表示装置の少なくとも一つが見え方の差を抑制する画像処理を施すように制御する。
【０１４９】
例えば、表示装置２０ａ及び２０ｂが備える表示パネルのサイズが同じで解像度が異なる場合には、サーバ装置５０は、図１５Ａの（ａ）に示されるように、表示装置２０ａ及び２０ｂに対して、表示サイズを揃えるための拡大縮小処理をするように、制御する。図１５Ａは、表示パネルのサイズが同一で解像度が異なる表示装置での見え方の違いを示す図である。視距離は、固定（つまり、同一）としている。２Ｋ（FHD）（１９２０×１０８０画素）、４Ｋ（３８４０×２１６０画素）、８Ｋ（７６８０×４３２０画素）は、解像度を示す。図１５Ａの（ａ）は、同一の対象物（ここでは、円形）が表示されるときのサイズを揃える画像処理を施した場合の見え方を示し、図１５Ａの（ｂ）は、同一の対象物をそのまま表示させた場合の見え方を示す。このようなケースでは、具体的には、サーバ装置５０は、解像度が低い表示装置が、入力された画像データに対して縮小処理をしたうえで表示する、あるいは、解像度が高い表示装置が、入力された画像データに対して拡大処理をしたうえで表示するように、表示装置に制御命令を送る。
【０１５０】
また、例えば、表示装置２０ａ及び２０ｂが備える表示パネルのサイズが異なり解像度が同じ場合には、サーバ装置５０は、図１５Ｂの（ａ）に示されるように、表示装置２０ａ及び２０ｂに対して、表示サイズを揃えるための拡大縮小処理をするように、制御する。図１５Ｂは、表示パネルのサイズが異なり解像度が同一の表示装置での見え方の違いを示す図である。視距離は、固定（つまり、同一）としている。１０インチ、２０インチ、４０インチは、表示パネルのサイズを示す。図１５Ｂの（ａ）は、同一の対象物（ここでは、円形）が表示されるときのサイズを揃える画像処理を施した場合の見え方を示し、図１５Ａの（ｂ）は、同一の対象物をそのまま表示させた場合の見え方を示す。このようなケースでは、具体的には、サーバ装置５０は、表示パネルのサイズが大きい表示装置が、入力された画像データに対して縮小処理をしたうえで表示する、あるいは、表示パネルのサイズが小さい表示装置が、入力された画像データに対して拡大処理をしたうえで表示するように、表示装置に制御命令を送る。
【０１５１】
また、例えば、表示装置２０ａ及び２０ｂのアスペクト比が異なる場合には、サーバ装置５０は、図１５Ｃに示されるように、表示装置２０ａ及び２０ｂの一方に対して、アスペクト比を他方に合わせるための画像処理（クリッピング、拡大縮小、又は、黒枠追加）をするように、制御する。図１５Ｃは、アスペクト比が４：３の画像をアスペクト比が１６：９の表示パネルに表示する際の画像処理を示す図である。図１５Ｃの（ａ）は、アスペクト比が４：３の画像を示し、図１５Ｃの（ｂ）は、黒枠追加の画像処理を示し、図１５Ｃの（ｃ）は、拡大・トリミングの画像処理を示す。このようなケースでは、具体的には、サーバ装置５０は、アスペクト比が４：３の画像をアスペクト比が４：３の表示パネルを備える表示装置２０ａ及びアスペクト比が１６：９の表示パネルを備える表示装置２０ｂに表示する場合に、表示装置２０ｂが、入力された画像データに対して図１５Ｃの（ｂ）又は（ｃ）に示される画像処理をしたうえで表示するように、表示装置２０ｂに制御命令を送る。
【０１５２】
このように、実施例４によれば、サーバ装置５０は、表示装置２０ａ及び２０ｂが備える表示パネルの解像度、サイズ及びアスペクト比の少なくとも一つが異なる場合に、（１）解像度、サイズ及びアスペクト比の少なくとも一つが異なることを提示する、（２）見え方の差を抑制できる視聴位置を提示する、及び、（３）表示装置２０ａ及び２０ｂの少なくとも一つが見え方の差を抑制する画像処理を行うように制御する、の少なくとも一つを行う。
【０１５３】
これにより、複数の表示装置において、表示パネルの構造の違いに起因する見え方の違いが緩和される、あるいは、そのことにユーザが気づくことができる。
【０１５４】
以上、本発明に係る表示装置管理システム、撮影装置、サーバ装置、表示装置及び表示装置管理方法について、実施の形態及び実施例１〜４に基づいて説明したが、本発明は、これらの実施の形態及び実施例１〜４に限定されるものではない。本発明の主旨を逸脱しない限り、当業者が思いつく各種変形を実施の形態及び実施例１〜４に施したものや、実施の形態及び実施例１〜４における一部の構成要素を組み合わせて構築される別の形態も、本発明の範囲内に含まれる。
【０１５５】
例えば、上記実施の形態では、撮影装置３０は、撮影画像を取得するために、補正用画像を表示装置に送信し、表示装置に補正用画像を表示させたが、撮影装置３０が補正用画像を表示装置に送信することは必ずしも必要ではない。表示装置が撮影装置３０から送信される補正用画像を受信するインタフェースを備えない場合には、例えば、表示装置に対する手動の操作により、表示装置が内部に有する校正用画像を表示装置に表示させ、撮影装置３０が表示装置を撮影することで、撮影画像を取得してもよい。
【０１５６】
また、上記実施の形態では、撮影装置３０は、無線ＬＡＮを介して表示装置に２０ａ及び２０ｂに補正用画像又は補正データを送信したが、撮影装置３０から表示装置２０ａ及び２０ｂへのデータ転送の方法は、このような無線接続による方法に限られない。例えば、撮影装置３０は、ＵＳＢを介したデータ転送等の有線接続によってデータを転送してもよいし、表示装置が備える測定用センサや赤外線リモコン受信部に対してデータを転送してもよい。さらに、表示装置２０ａ及び２０ｂから撮影装置３０へのデータ転送については、表示装置が有するバックライトの明滅による通信（つまり、光ＩＤ通信）や、赤外線ＬＥＤを用いた通信を用いてもよい。
【０１５７】
また、撮影装置３０と表示装置に２０ａ及び２０ｂとを無線ＬＡＮ等で接続することができないケースに備えて、図１６に示されるような校正用キット４０が表示装置管理システム１０ａに装備されてもよい。図１６は、実施の形態の変形例に係る表示装置管理システム１０ａの構成図である。本変形例に係る表示装置管理システム１０ａは、上記実施の形態に係る表示装置管理システム１０に対して校正用キット４０を追加した構成を備える。校正用キット４０は、制御装置４１と校正用センサ４２とで構成される。制御装置４１は、撮影装置３０と表示装置２０ａ及び２０ｂ並びに校正用センサ４２とを接続するインタフェース装置であり、撮影装置３０が保持する補正用画像及び補正データを、映像信号用ケーブルを介して表示装置２０ａ及び２０ｂに転送したり、校正用センサ４２が得た画像又は輝度値を撮影装置３０に転送したりする。校正用センサ４２は、表示装置２０ａ及び２０ｂを撮影又は輝度測定をする装置であり、例えば、カメラである。このような校正用キット４０により、撮影装置３０と接続するための無線ＬＡＮ等のインタフェースを備えない表示装置２０ａ及び２０ｂであっても、表示装置管理システム１０ａによる管理及び校正の対象とされ得る。なお、校正用キット４０に、撮影装置３０が備える撮像部３１又は校正用センサ４２の撮像特性を校正するための基準光源が含まれてもよい。
【０１５８】
また、上記実施の形態では、撮影装置３０は、スマートフォン、タブレット端末等のカメラを内蔵する携帯情報端末であったが、これに限られず、表示装置２０ａ及び２０ｂに表示された画像を撮影してサーバ装置５０に送信する装置であれば、カメラとコンピュータ装置から構成される据置型の装置セットであってもよい。サーバ装置５０との連携を行うことで、サーバ装置による画質調整を前提として設計されていない一般の表示装置であっても表示特性を管理することが可能になる。
【産業上の利用可能性】
【０１５９】
本発明は、表示装置管理システム、撮影装置、サーバ装置、表示装置及び表示装置管理方法として、特に、サーバ装置による画質調整を前提として設計されていない一般の表示装置であっても表示特性を管理することを可能にする表示装置管理システムとして、利用できる。
【符号の説明】
【０１６０】
１０、１０ａ  表示装置管理システム
１１ａ、１１ｂ  補正用画像
１２ａ、１２ｂ  補正データ（ＬＵＴ）
１３ａ、１３ｂ  撮影画像
１４ａ、１４ｂ  付加情報
１５  差情報
２０ａ、２０ｂ  表示装置
２１ａ、２１ｂ  通信部
２２ａ、２２ｂ  入力端子
２３ａ、２３ｂ  映像信号生成部
２４ａ、２４ｂ  映像信号処理部
２５ａ、２５ｂ  記憶部
２８ａ、２８ｂ  表示パネル
３０  撮影装置
３１  撮像部
３２  入力部
３３  表示部
３４  通信部
３５  制御部
３５ａ  アップロード部
３５ｂ  ダウンロード部
３５ｃ  補正用画像指示部
３６  記憶部
４０  校正用キット
４１  制御装置
４２  校正用センサ
５０  サーバ装置
５１  通信部
５２  入力部
５３  制御部
５３ａ  演算部
５３ｂ  補正データ伝達部
５４  表示部
５５  記憶部
【図１】
2019179439.tif 000003
【図２Ａ】
2019179439.tif 000004
【図２Ｂ】
2019179439.tif 000005
【図３】
2019179439.tif 000006
【図４】
2019179439.tif 000007
【図５】
2019179439.tif 000008
【図６】
2019179439.tif 000009
【図７Ａ】
2019179439.tif 000010
【図７Ｂ】
2019179439.tif 000011
【図７Ｃ】
2019179439.tif 000012
【図７Ｄ】
2019179439.tif 000013
【図８】
2019179439.tif 000014
【図９】
2019179439.tif 000015
【図１０】
2019179439.tif 000016
【図１１Ａ】
2019179439.tif 000017
【図１１Ｂ】
2019179439.tif 000018
【図１２】
2019179439.tif 000019
【図１３】
2019179439.tif 000020
【図１４】
2019179439.tif 000021
【図１５Ａ】
2019179439.tif 000022
【図１５Ｂ】
2019179439.tif 000023
【図１５Ｃ】
2019179439.tif 000024
【図１６】
2019179439.tif 000025